(57)【特許請求の範囲】
【請求項１】
家屋屋根の換気口を覆う板金製の天板と、所定の相対間隔を天板の板面との間に保って屋根面に取り付けられる板金製の底板とを備え、
天板には、屋根勾配の下方寄りの板面を下向きに折り曲げた雨水遮断用の前面遮り板と、前面遮り板の下端側より相対間隔の内方向きに折り曲げて通気隙間を底板の板面との間に保つ水切り用の下邪魔板とを設け、
底板には、屋根勾配の上方寄りの板面を上向きに折り曲げて通気隙間を下邪魔板の先端側との間に保つ立上り板と、立上り板の上端側より相対間隔の外方向きに折り曲げて下邪魔板の板面との間、前面遮り板の板面との間、天板の板面との間に各々保つ上邪魔板とを設け、
天板と底板との相対間隔に相当する長さの縦辺部を立上り板の板面にあてがい固定し、横辺部を天板の板面にあてがい固定する逆Ｌ字形の帯板金具により、天板の板面と底板の立上り板とを一体に組み立てると共に、
天板と底板との相対間隔に相当する長さの縦辺部を前面遮り板との折曲げ辺に沿って下邪魔板の板面に設けたスリットに挿通させて前面遮り板の板面にあてがい固定し、横辺部を底板の板面にあてがい固定するＬ字形の帯板金具により、底板の板面と天板の前面遮り板とを一体に組み立ててなることを特徴とする屋上設置型換気装置。
【請求項２】
家屋棟部の換気口を覆う板金製の横断面傘形を呈する天板と、所定の相対間隔を天板の各板面との間に保って家屋棟部の各斜面に取り付けられる板金製の底板とを備えてなることを特徴とする請求項１に記載の屋上設置型換気装置。
【発明の詳細な説明】
【０００１】
【発明の属する技術分野】
本発明は、屋内外の空気を換気するよう家屋屋根に据付け設置される屋上設置型の換気装置に関するものである。
【０００２】
【従来の技術】
従来、この種の換気装置としては家屋の棟部に据付け設置される板金製の棟部換気装置が知られている（実公平４−４６４２４号）。
【０００３】
その棟部換気装置の主体部は、家屋棟部の換気口を覆う横断面傘形の天板と、所定の相対間隔を天板の板面との間に保って屋根棟部の各斜面に取り付けられる底板とを備えて構成されている。また、天板には勾配下方寄りの板面を下向きに折り曲げて雨水遮断用の前面遮り板を設け、底板には屋根勾配の上方寄りの板面を上向きに折り曲げて立上り板を設けると共に、立上り板の上端側より底板の板面と相対側に折り曲げて天板の支持板を設けることから、天板と底板とが支持板で一体に組み立てられている。
【０００４】
その主体部の構成中で、支持板の勾配下方寄りの板面を下向きに折り曲げて上邪魔板を縦に起立させて設けると共に、底板の勾配下方寄りの板面を二つに重ね曲げ、且つ、重ね曲げられた上側の端部寄り板面を上向きに折り曲げて下邪魔板を縦に起立させて設け、また、複数個の通気孔を立上り板の板面長手方向に沿って定間隔毎に設けることから、通気流路が形成されている。
【０００５】
これにより、前面遮り板並びに上邪魔板の各下端部と底板の板面との間及び下邪魔板の上端部と天板の板面との間には通気隙間を保つと共に、前面遮り板を含めて各邪魔板を上下交互に配置することから、屋外空気を各邪魔板で蛇行させて流動し、屋外空気と共に相対間隔の内部に侵入する雨水を各邪魔板で水切り可能に組み立てられている。
【０００６】
その棟部換気装置では、屋内外の空気を各邪魔板で蛇行流動させて屋外空気と共に相対間隔の内部に侵入する雨水を各邪魔板で確実に水切りでき、また、立上り板の板面に設けた通気孔を介して屋内外の空気を効果的に換気できるところから好ましい。
【０００７】
然し、その棟部換気装置では少なくとも底板側の板面を構造的に複雑に複数個所で折曲げ形成しなければならない。これと共に、通気孔を立上り板の板面に切抜き形成するにも手間が掛る。また、各邪魔板は天板と底板との相対間隔の内部に縦に起立させて設けるため、邪魔板による水切り効率を高めるべく、邪魔板の立上り高さを大きく設定するときには通気隙間を突端側に保つ必要もあって天板と底板との相対間隔を大きく設定しなければならず、装置全体が大型化することを避けられない。
【０００８】
【発明が解決しようとする課題】
本発明は、屋外空気と共に、天板と底板との相対間隔の内部に侵入する雨水を邪魔板で確実に水切りでき、また、屋内外の空気を効果的に換気できることは勿論、装置全体を簡単な構造的で薄型にしかも堅牢なものに組立可能な屋上設置型換気装置を提供することを目的とする。
【０００９】
【課題を解決するための手段】
本発明の請求項１に係る屋上設置型換気装置においては、家屋屋根の換気口を覆う板金製の天板と、所定の相対間隔を天板の板面との間に保って屋根面に取り付けられる板金製の底板とを備え、
天板には、屋根勾配の下方寄りの板面を下向きに折り曲げた雨水遮断用の前面遮り板と、前面遮り板の下端側より相対間隔の内方向きに折り曲げて通気隙間を底板の板面との間に保つ水切り用の下邪魔板とを設け、
底板には、屋根勾配の上方寄りの板面を上向きに折り曲げて通気隙間を下邪魔板の先端側との間に保つ立上り板と、立上り板の上端側より相対間隔の外方向きに折り曲げて下邪魔板の板面との間、前面遮り板の板面との間、天板の板面との間に各々保つ上邪魔板とを設け、
天板と底板との相対間隔に相当する長さの縦辺部を立上り板の板面にあてがい固定し、横辺部を天板の板面にあてがい固定する逆Ｌ字形の帯板金具により、天板の板面と底板の立上り板とを一体に組み立てると共に、
天板と底板との相対間隔に相当する長さの縦辺部を前面遮り板との折曲げ辺に沿って下邪魔板の板面に設けたスリットに挿通させて前面遮り板の板面にあてがい固定し、横辺部を底板の板面にあてがい固定するＬ字形の帯板金具により、底板の板面と天板の前面遮り板とを一体に組み立てることにより構成されている。
【００１０】
本発明の請求項２に係る屋上設置型換気装置においては、家屋棟部の換気口を覆う板金製の横断面傘形を呈する天板と、所定の相対間隔を天板の各板面との間に保って家屋棟部の各斜面に取り付けられる板金製の底板とを備えることにより構成されている。
【００１１】
【発明の実施の形態】
以下、添付図面を参照して説明すると、図１〜４は家屋の棟部に据付け設置する屋上設置型の換気装置を示す。図５は、家屋屋根の片斜面に据付け設置する屋上設置型の換気装置を示す。これら換気装置の主たる構成部は、板金材を折り曲げて形成されている。
【００１２】
家屋棟部換気装置は、図１で示すように棟部の両側に亘って棟部の換気口Ｅを覆うよう屋根勾配に相応させて横断面傘形に折り曲げられた天板１と、所定の相対間隔Ｗを天板１の板面との間に保って野地板等の屋根面に各々取付け配置される底板２ａ，２ｂとを主たる構成部として組み立てられている。
【００１３】
天板１には、各屋根勾配の下方寄り板面を直角方向下向きに折り曲げて雨水遮断用の前面遮り板１０ａ，１０ｂが設けられている。また、前面遮り板１０ａ，１０ｂの下端側から天板１と底板２と相対間隔Ｗの内方向きに直角に折り曲げて水切り用の下邪魔板１１ａ，１１ｂが横方向に設けられている。この下邪魔板１１ａ，１１ｂは、通気隙間ｇ１を底板２ａ・２ｂの板面との間に保って折曲げ形成されている。
【００１４】
各底板２ａ，２ｂには、屋根勾配の上方寄り板面を直角方向上向きに折り曲げて立上り板２０ａ，２０ｂが設けられている。この立上り板２０ａ，２０ｂは、通気隙間ｇ２を下邪魔板１１ａ，１１ｂの先端側との間に保って折曲げ形成されている。
【００１５】
それと共に、各立上り板２０ａ，２０ｂの上端側から天板１と底板２と相対間隔Ｗの外方向きに直角に折り曲げて上邪魔板２１ａ，２１ｂが下邪魔板１１ａ，１１ｂとは逆の横向きに折曲げ形成されている。この上邪魔板２１ａ，２１ｂは、通気隙間ｇ３〜ｇ５を下邪魔板１１ａ，１１ｂの板面との間、前面遮り板１０ａ，１０ｂの板面との間、天板１の板面との間に各々保つよう折曲げ形成されている。
【００１６】
天板１と各底板２ａ，２ｂとは、天板１と各底板２ａ，２ｂとの相対間隔Ｗに相当する長さの縦辺部３ａ，４ａを有するＬ字形，逆Ｌ字形の帯板金具３，４で一体に組み立てられている。これら帯板金具３，４は、棟部の長手方向に向って間隔を隔てて複数個取り付けることから、相対間隔Ｗを保って天板１と各底板２ａ，２ｂを一体に組み立てるようポップリベット５…等で各板面にあてがい固定されている。
【００１７】
帯板金具３は、縦辺部３ａを前面遮り板１０ａ，１０ｂの板面にあてがって天板１の前面遮り板１０ａ，１０ｂと底板２ａ，２ｂの板面との間にＬ字状に掛渡し固定されている。また、縦辺部３ａを前面遮り板１０ａ，１０ｂと下邪魔板１１ａ，１１ｂとの折曲げ辺に沿って下邪魔板１１ａ，１１ｂの板面に設けたスリット２３ａ，２３ｂに挿通すると共に、前面遮り板１０ａの板面内側にあてがい固定することから取り付けられている。
【００１８】
帯板金具４は逆Ｌ字状の向きで、縦辺部４ａを立上り板２０ａ，２０ｂの板面にあてがって天板１の板面と底板２ａ，２ｂの立上り板２０ａ，２０ｂとの間に掛渡し固定されている。この帯板金具３は、図１〜３で示すように底板２ａ，２ｂの板面を一部切り曲げて設けた止め片２２ａ，２２ｂを横辺部３ｂの板面上に重ねて折り曲げることにより位置決め固定されている。
【００１９】
上述した下邪魔板１１ａ，１１ｂ並びに上邪魔板２１ａ，２１ｂの他に、天板１の板面から縦方向下向きに突出させて縦邪魔板６ａ，６ｂを備え付けることもできる。この縦邪魔板６ａ，６ｂは通気隙間ｇ６を底板２ａ，２ｂの立上り板２０ａ，２０ｂとの間に保ち、帯板金具４の横辺部４ｂを縦邪魔板６ａ，６ｂの折返し部に嵌め込んでポップリベット５等で帯板金具４と共締め装着できる。
【００２０】
また、図３で示すように上邪魔板２１ａ，２１ｂの端部寄り板面を下方に折り曲げると共に、板面の端部側を底板２ａの下面側に重ねて折り曲げることにより側板部２４ａ，２４ｂを各邪魔板１１ａ，１１ｂ、２１ａ，２１ｂの長手方向両端部に設けることができる。この側板部２４ａ，２４ｂでは、下邪魔板１１ａ，１１ｂ並びに上邪魔板２１ａ，２１ｂの長手方向両端部を遮蔽できる。
【００２１】
このように構成する棟部換気装置では、天板１の勾配下方寄りの板面を折り曲げて雨水遮断用の前面遮り板１０ａ，１０ｂと水切り用の下邪魔板１１ａ，１１ｂとを設けている。それと同様に、各底板２ａ，２ｂの勾配上方寄りの板面を折り曲げることにより立上り板２０ａ，２０ｂと上邪魔板２１ａ，２１ｂを設けている。このため、各部１、２ａ，２ｂは簡単な曲げ加工を施すことから形成できる。
【００２２】
天板１と各底板２ａ，２ｂとは、少なくとも通気隙間ｇ１〜ｇ５を相対間隔Ｗの内部で連通させて帯板金具３，４の縦辺部３ａ，４ａで確保することにより帯板金具３，４で一体に組み立てられている。このため、いずれの板面にも通気孔等を設けなくてよく、板金材の折曲げ作業をより簡単にできるばかりでなく、相対間隔Ｗを保って天板１と各底板２ａ，２ｂとを帯板金具３，４で堅牢な構造に組み立てできる。
【００２３】
天板１の下邪魔板１１ａ，１１ｂは、通気隙間ｇ１を底板２ａ，２ｂの板面との間に保って相対間隔Ｗの内方向き横方向に折曲げ形成する。これと共に、通気隙間ｇ２を下邪魔板１１ａ，１１ｂの内端側との間に保ち、各立上り板２０ａ，２０ｂの上端側から上邪魔板２１ａ，２１ｂを下邪魔板１１ａ，１１ｂと逆の外方向き横方向に折曲げ形成する。
【００２４】
また、上邪魔板２１ａ，２１ｂは通気隙間ｇ３〜ｇ５を下邪魔板１１ａ，１１ｂの板面との間、前面遮り板１０ａ，１０ｂの板面との間、天板１の板面との間に保つよう折曲げ形成する。このため、各邪魔板１１ａ，１１ｂ、２１ａ，２１ｂでは屋内外の空気を蛇行させて流動でき、屋外空気と共に雨水が侵入しても各邪魔板１１ａ，１１ｂ、２１ａ，２１ｂで確実に水切りできる。
【００２５】
各邪魔板１１ａ，１１ｂ、２１ａ，２１ｂは、天板１と底板２ａ，２ｂとの相対間隔Ｗの内部で横方向に張り出すように設けられている。その邪魔板１１ａ，１１ｂ、２１ａ，２１ｂによる水切り効率を高めるべく、邪魔板１１ａ，１１ｂ、２１ａ，２１ｂの幅を広く設定し、且つ、通気隙間ｇ１〜ｇ５を保っても、相対間隔Ｗは大きく設定しなくてよい。このため、水切り効果を高められしかも装置全体も薄型のものに構成できる。
【００２６】
この棟部換気装置は、図１で示すように底板２ａ，２ｂを屋根の野地板Ｊ等の板面にあてがい固定することにより棟部の通気孔Ｅを覆うよう家屋の棟部に据付け設置できる。また、図４で示すように底板２ａ，２ｂを平瓦Ｈ１の上側に配置し、天板１の長手方向両端部をのし瓦Ｈ２の上側に被せて家屋の棟部に組み付けることにより丸瓦Ｈ３の内部に収容装備するようにもできる。
【００２７】
上述した実施の形態の他に、図５で示すように屋根の片斜面上に据付け設置する屋上設置型換気装置としても構成できる。この場合には天板１の板面を長手方向に沿って下方に折り曲げて背板部１２を設けると共に、天板１の長手方向両端部を下方に折り曲げて側板部１３を設けることから、前面遮り板１０ａ，１０ｂを含めて外枠組を組立形成すればよい。それ以外は、上述した棟部換気装置の片半部と同様な構造に構成すればよい。
【００２８】
【発明の効果】
以上の如く、本発明の請求項１に係る屋上設置型換気装置に依れば、屋外空気と共に、天板と底板との相対間隔の内部に侵入する雨水を邪魔板で確実に水切りでき、また、通気隙間を介して屋内外の空気を効果的に換気できることは勿論、邪魔板を天板と底板との相対間隔で横方向に張り出すよう設けるため、装置全体を簡単な構造的で薄型に構成できると共に、天板と底板との相対間隔を帯板金具の縦辺部で間隔保持することから装置全体を堅牢なものに構成できる。
【００２９】
本発明の請求項２に係る屋上設置型換気装置に依れば、家屋棟部の換気口を覆うよう家屋の棟部に据付け設置するのに好適な棟部換気装置として構成できる。
【図面の簡単な説明】
【図１】本発明の一例に係る屋上設置型換気装置を示す横断面図である。
【図２】同屋上設置型換気装置を部分的に示す側面図である。
【図３】同屋上設置型換気装置を部分的に示す底面図である。
【図４】同屋上設置型換気装置の一例に係る取付け施工構造を示す説明図である。
【図５】  本発明の別例に係る屋上設置型換気装置を示す横断面図である。
【符号の説明】
Ｅ                      家屋の換気口
１                      天板
１０ａ，１０ｂ          前面遮り板
１１ａ，１１ｂ          下邪魔板
２ａ，２ｂ              底板
２０ａ，２０ｂ          立上り板
２１ａ，２１ｂ          上邪魔板
３，４                  帯板金具
３ａ，４ａ              帯板金具の縦辺部
Ｗ                      天板と底板との相対間隔
ｇ１〜ｇ５                通気隙間
【図１】
0003783145.tif 000002
【図２】
0003783145.tif 000003
【図３】
0003783145.tif 000004
【図４】
0003783145.tif 000005
【図５】
0003783145.tif 000006